(57)【要約】【課題】画像形成装置を直接操作しなくても印刷に関する設定を行い印刷することができる画像形成装置を提供する。【解決手段】少なくとも一つのプロセッサと、少なくとも一つのメモリ部と、前記メモリ部に記憶されており、前記少なくとも一つのプロセッサによって実行される少なくとも一つのモジュールと、少なくとも一つのファイルに基づく印刷イメージ画像を表示する表示部と、前記表示されたファイルから、印刷対象のページを選択する指示を入力する選択部と、前記印刷データに基づいて印刷をする印刷部と、を含み、前記モジュールは、少なくとも一つのファイルを外部に接続されるファイル記憶領域から取得して前記表示部に提供する取得モジュールと、前記選択部によって選択する指示が入力された印刷対象のページに基づいて印刷データを生成し前記印刷部に提供する印刷データ生成モジュールと、を含む。【選択図】図１
2017039258.tif 000002
【特許請求の範囲】
【請求項１】
少なくとも一つのプロセッサと、
少なくとも一つのメモリ部と、
前記メモリ部に記憶されており、前記少なくとも一つのプロセッサによって実行される少なくとも一つのモジュールと、
少なくとも一つのファイルに基づく印刷イメージ画像を表示する表示部と、
前記表示されたファイルから、印刷対象のページを選択する指示を入力する選択部と、
前記印刷データに基づいて印刷をする印刷部と、を含み、
前記モジュールは、少なくとも一つのファイルを外部に接続されるファイル記憶領域から取得して前記表示部に提供する取得モジュールと、前記選択部によって選択する指示が入力された印刷対象のページに基づいて印刷データを生成し前記印刷部に提供する印刷データ生成モジュールと、を含む
画像形成装置。
【請求項２】
前記表示部は、前記取得された複数のファイルについて各ページの印刷イメージ画像を表示し、
前記選択部は、複数のファイルにまたがって指定された各ページを印刷対象のページとして選択する指示を入力する
請求項１記載の画像形成装置。
【請求項３】
前記モジュールは、
割り当てイメージ画像を分割する境界を入力する分割境界入力モジュールと、
前記入力される境界に従って、印刷媒体の１ページ内における複数の印刷領域の割り当てるページ分割編集モジュールと、を含み、
前記印刷部は、前記割り当てられた印刷領域に対して前記印刷対象のページをレイアウトして印刷する
請求項１または請求項２記載の画像形成装置。
【請求項４】
前記ページ分割編集モジュールは、分割された印刷領域を連結する指示の入力に応じて、印刷領域を統合する
請求項３記載の画像形成装置。
【請求項５】
前記モジュールは、
印刷媒体に対する印刷の向きと印刷領域との少なくともいずれかに基づいて、前記印刷媒体に対する印刷領域のレイアウトを決定するレイアウト編集モジュールを含む
請求項１から請求項４のうちいずれか１項に記載の画像形成装置。
【請求項６】
前記レイアウト編集モジュールは、印刷ページの向きを回転させる指示がユーザから入力されると、入力された回転方向に従って印刷ページを回転させ、回転された後の印刷ページに対して印刷対象ページを割り付ける
請求項５記載の画像形成装置。
【請求項７】
前記レイアウト編集モジュールは、印刷ページに割り付けられた印刷対象ページの向きを回転させる指示がユーザから入力されると、回転方向に従って印刷ページに対する印刷対象ページの向きを相対的に回転させる
請求項５記載の画像形成装置。
【請求項８】
前記レイアウト編集モジュールは、ユーザから印刷ページと印刷対象ページとの両方を回転させる指示が入力されると、印刷ページに対する印刷対象ページの向きをそのままにして、印刷ページ全体を操作された回転方向に従って回転させる
請求項５記載の画像形成装置。
【請求項９】
前記画像形成装置は、
撮像台に載せられた原稿を撮像して撮像データを生成する原稿撮像部を含み、
前記モジュールは、
編集指示に応じて前記撮像データを編集する編集モジュールを含み、
前記印刷部は、編集された撮像データに基づいて印刷する
請求項１から請求項８のうちいずれか１項に記載の画像形成装置。
【請求項１０】
前記モジュールは、ユーザのログイン入力に基づいて、ログインの可否を判定する認証モジュールを含み、
前記ファイル記憶領域は、少なくともネットワークを介して接続されたサーバの記憶領域とユーザのコンピュータの記憶領域があり、
前記取得モジュールは、前記ファイル記憶領域に記憶された複数のファイルのうち、前記ログインされたユーザに対して与えられている参照権限の範囲内のファイルを取得する
請求項１から９のうちいずれか１項に記載の画像形成装置。
【請求項１１】
前記画像形成装置は、
通信領域内に近接される複数の記憶媒体からユーザを識別する識別情報をそれぞれ読み出す読み出し部を含み、
前記認証モジュールは、読み出された識別情報のそれぞれを用いて認証し、
前記取得モジュールは、認証が得られた識別情報に対応するユーザに対して与えられている参照権限に基づく範囲でファイルを取得する
請求項１０記載の画像形成装置。
【請求項１２】
前記取得モジュールは、ログインされたユーザに関連する内容を含むお勧めファイルを外部に接続されるサーバから取得し、
前記選択部は、前記お勧めファイルに含まれるページを選択する指示を入力する
請求項１から１１のうちいずれか１項に記載の画像形成装置。
【請求項１３】
画像形成装置における画像形成方法であり、
表示部が、少なくとも一つのファイルに基づく印刷イメージ画像を表示し、
選択部が、前記表示されたファイルから、印刷対象のページを選択する指示を入力し、
印刷部が、前記印刷データに基づいて印刷し、
メモリ部に記憶されており少なくとも一つのプロセッサによって実行されるモジュールが、少なくとも一つのファイルを外部に接続されるファイル記憶領域から取得して前記表示部に提供し、前記選択部によって選択する指示が入力された印刷対象のページに基づいて印刷データを生成し前記印刷部に提供する
画像形成方法。
【請求項１４】
電子装置に、
少なくとも一つのファイルを外部に接続されるファイル記憶領域から取得するステップと、
前記少なくとも一つのファイルに基づく印刷イメージ画像を表示するステップと、
前記表示されたファイルのそれぞれから、印刷対象のページを選択する指示を入力するステップと、
前記選択された印刷対象のページに基づいて印刷データを生成するステップと、
前記印刷データに基づいて印刷をするステップと、
を実行させるためのプログラム。
【発明の詳細な説明】
【技術分野】
【０００１】
本発明は、画像形成装置、画像形成方法、プログラムに関する。
【背景技術】
【０００２】
プリンタにて印刷を行う場合、このプリンタに接続された画像供給装置（パソコン等のコンピュータ）から印刷対象のファイルを選択することで、目的の印刷物を印刷することができる。例えば、複数のフォルダにまたがって格納された印刷対象のファイルについて、それぞれ選択することで、印刷することができる印刷制御装置（画像供給装置）がある（特許文献１）。また、この画像制御装置は、フォルダに格納された画像のうち、いずれの画像を印刷するかを選択することも可能である。
【先行技術文献】
【特許文献】
【０００３】
【特許文献１】特開２００６−３５０９４３号公報
【発明の概要】
【発明が解決しようとする課題】
【０００４】
しかしながら、上述した画像供給装置では、印刷対象のファイルから印刷対象を選択するには、画像供給装置を用いてファイルや画像を選択する必要がある。そのため、ユーザは、印刷をする場合、画像形成装置（プリンタ）近傍にいる場合であっても、画像供給装置が設置された場所に戻って画像供給装置を操作しなければならない。そしてユーザは、画像供給装置を操作した後、再度画像形成装置が設置された場所まで移動し、印刷された書面を取り出さなければならない。
【０００５】
本発明は、このような事情に鑑みてなされたもので、その目的は、画像形成装置を直接操作しなくても印刷に関する設定を行い印刷することができる画像形成装置、画像形成方法、プログラムを提供することにある。
【課題を解決するための手段】
【０００６】
上述した課題を解決するために、本発明は、少なくとも一つのプロセッサと、少なくとも一つのメモリ部と、前記メモリ部に記憶されており、前記少なくとも一つのプロセッサによって実行される少なくとも一つのモジュールと、少なくとも一つのファイルに基づく印刷イメージ画像を表示する表示部と、前記表示されたファイルから、印刷対象のページを選択する指示を入力する選択部と、前記印刷データに基づいて印刷をする印刷部と、を含み、前記モジュールは、少なくとも一つのファイルを外部に接続されるファイル記憶領域から取得して前記表示部に提供する取得モジュールと、前記選択部によって選択する指示が入力された印刷対象のページに基づいて印刷データを生成し前記印刷部に提供する印刷データ生成モジュールと、を含む。
【０００７】
また、本発明は、上述の画像形成装置において、前記表示部は、前記取得された複数のファイルについて各ページの印刷イメージ画像を表示し、前記選択部は、複数のファイルにまたがって指定された各ページを印刷対象のページとして選択する指示を入力する。
【０００８】
また、本発明は、上述の画像形成装置において、前記モジュールは、割り当てイメージ画像を分割する境界を入力する分割境界入力モジュールと、前記入力される境界に従って、印刷媒体の１ページ内における複数の印刷領域の割り当てるページ分割編集モジュールと、を含み、前記印刷部は、前記割り当てられた印刷領域に対して前記印刷対象のページをレイアウトして印刷する。
【０００９】
また、本発明は、上述の画像形成装置において、前記ページ分割編集モジュールは、分割された印刷領域を連結する指示の入力に応じて、印刷領域を統合する。
【００１０】
また、本発明は、上述の画像形成装置において、前記モジュールは、印刷媒体に対する印刷の向きと印刷領域との少なくともいずれかに基づいて、前記印刷媒体に対する印刷領域のレイアウトを決定するレイアウト編集モジュールを含む。
【００１１】
また、本発明は、上述の画像形成装置において、前記レイアウト編集モジュールは、印刷ページの向きを回転させる指示がユーザから入力されると、入力された回転方向に従って印刷ページを回転させ、回転された後の印刷ページに対して印刷対象ページを割り付ける。
【００１２】
また、本発明は、上述の画像形成装置において、前記レイアウト編集モジュールは、印刷ページに割り付けられた印刷対象ページの向きを回転させる指示がユーザから入力されると、回転方向に従って印刷ページに対する印刷対象ページの向きを相対的に回転させる。
【００１３】
また、本発明は、上述の画像形成装置において、前記レイアウト編集モジュールは、ユーザから印刷ページと印刷対象ページとの両方を回転させる指示が入力されると、印刷ページに対する印刷対象ページの向きをそのままにして、印刷ページ全体を操作された回転方向に従って回転させる。
【００１４】
また、本発明は、上述の画像形成装置において、前記画像形成装置は、撮像台に載せられた原稿を撮像して撮像データを生成する原稿撮像部を含み、前記モジュールは、編集指示に応じて前記撮像データを編集する編集モジュールを含み、前記印刷部は、編集された撮像データに基づいて印刷する。
【００１５】
また、本発明は、上述の画像形成装置において、前記モジュールは、ユーザのログイン入力に基づいて、ログインの可否を判定する認証モジュールを含み、前記ファイル記憶領域は、少なくともネットワークを介して接続されたサーバの記憶領域とユーザのコンピュータの記憶領域があり、前記取得モジュールは、前記ファイル記憶領域に記憶された複数のファイルのうち、前記ログインされたユーザに対して与えられている参照権限の範囲内のファイルを取得する。
【００１６】
また、本発明は、上述の画像形成装置において、前記画像形成装置は、通信領域内に近接される複数の記憶媒体からユーザを識別する識別情報をそれぞれ読み出す読み出し部を含み、前記認証モジュールは、読み出された識別情報のそれぞれを用いて認証し、前記取得モジュールは、認証が得られた識別情報に対応するユーザに対して与えられている参照権限に基づく範囲でファイルを取得する。
【００１７】
また、本発明は、上述の画像形成装置において、前記取得モジュールは、ログインされたユーザに関連する内容を含むお勧めファイルを外部に接続されるサーバから取得し、前記選択部は、前記お勧めファイルに含まれるページを選択する指示を入力する。
【００１８】
また、本発明は、画像形成装置における画像形成方法であり、表示部が、少なくとも一つのファイルに基づく印刷イメージ画像を表示し、選択部が、前記表示されたファイルから、印刷対象のページを選択する指示を入力し、印刷部が、前記印刷データに基づいて印刷し、メモリ部に記憶されており少なくとも一つのプロセッサによって実行されるモジュールが、少なくとも一つのファイルを外部に接続されるファイル記憶領域から取得して前記表示部に提供し、前記選択部によって選択する指示が入力された印刷対象のページに基づいて印刷データを生成し前記印刷部に提供する。
【００１９】
また、本発明は、電子装置に、少なくとも一つのファイルを外部に接続されるファイル記憶領域から取得するステップと、前記少なくとも一つのファイルに基づく印刷イメージ画像を表示するステップと、前記表示されたファイルのそれぞれから、印刷対象のページを選択する指示を入力するステップと、前記選択された印刷対象のページに基づいて印刷データを生成するステップと、前記印刷データに基づいて印刷をするステップと、を実行させるためのプログラムである。
【発明の効果】
【００２０】
以上説明したように、この発明によれば、画像形成装置を直接操作しなくても印刷に関する設定を行い印刷することができる画像形成装置、画像形成方法、プログラムを提供することにある。
【図面の簡単な説明】
【００２１】
【図１】この発明の一実施形態による画像形成装置１０を適用した印刷システム１の構成を示す概略ブロック図である。
【図２】画像形成装置１０の機能構成を表す概略ブロック図である。
【図３】画像形成装置１０の動作について説明するフローチャートである。
【図４】画像形成装置１０の印刷設定処理について説明するフローチャートである。
【図５】表示部１０２に表示されるログイン画面の表示例を示す説明図である。
【図６】表示部１０２に表示されるメニュー画面の一例を表す図である。
【図７】ログインしたユーザ自身のユーザ端末２０に記憶されたファイルやフォルダが表示された場合の画面を表す図である。
【図８】選択されたコンテンツが表示部１０２に表示された場合の画面の一例を示す図である。
【図９】関連情報が表示された画面を表す図である。
【図１０】関連情報の表示欄に表示される画面の一例を示す図である。
【図１１】関連情報が選択される場合を説明するための画面の一例を示す図である。
【図１２】関連情報が選択される場合を説明するための画面の一例を示す図である。
【図１３】関連情報が選択される場合を説明するための画面の一例を示す図である。
【図１４】関連情報が選択される場合を説明するための画面の一例を示す図である。
【図１５】関連情報が選択される場合を説明するための画面の一例を示す図である。
【図１６】ページが長押しされた後の画面の一例を示す図である。
【図１７】印刷設定ボタンが表示される画面の一例を示す図である。
【図１８】印刷設定を開始するためのアイコンがタッチされる場合について説明する図である。
【図１９】印刷設定画面において表示される画面の一例を示す図である。
【図２０】印刷ページの向きを変更する場合について説明する図である。
【図２１】印刷媒体が横方向であり印刷対象のページが縦方向にレイアウトされた状態の画面の一例を示す図である。
【図２２】プレビュー画面の一例を示す図である。
【図２３】印刷対象のページの印刷順を変更する場合について説明する図である。
【図２４】印刷対象のページの印刷順を変更する場合について説明する図である。
【図２５】印刷ページにおける割り付けについて説明する図である。
【図２６】印刷ページにおける割り付けについて説明する図である。
【図２７】印刷部数の指定を行う画面の一例を示す図である。
【図２８】ログインエリアの他の例について説明する図である。
【図２９】割り込み利用モードについて説明する図である。
【図３０】共用利用モードについて説明する図である。
【図３１】印刷部数を指定する画面の一例を示す図である。
【図３２】印刷ページの割り付けについて説明する図である。
【図３３】印刷ページの割り付けについて説明する図である。
【図３４】印刷ページの割り付けについて説明する図である。
【図３５】割り付けされた印刷対象ページを統合する場合について説明する図である。
【図３６】割り付けされた印刷対象ページを統合する場合について説明する図である。
【図３７】印刷対象ページに対する縮小操作によって割り付けを行う場合を説明する図である。
【図３８】印刷対象ページに対する縮小操作によって割り付けを行う場合を説明する図である。
【図３９】印刷ページを回転させることで割り付けを変更する場合について説明する図である。
【図４０】印刷対象ページの向きについて割り付けを変更する場合について説明する図である。
【図４１】ページ全体の向きを変更する場合を説明する図である。
【図４２】印刷ページに印刷対象ページが割り付けされた位置を変更する場合を説明する図である。
【図４３】印刷ページに印刷対象ページを配置する順を説明する図である。
【図４４】レイアウトテンプレートについて説明する図である。
【図４５】レイアウトテンプレートについて説明する図である。
【図４６】記憶部１１１に記憶される割り付けテンプレートの一例を表す図である。
【図４７】分割領域を変更する場合を説明する図である。
【図４８】割り付けテンプレートに対して印刷対象コンテンツを配置する場合について説明する図である。
【図４９】割り付けテンプレートに対して印刷対象コンテンツのサイズを変更する場合としない場合について説明する図である。
【図５０】印刷ページに割り付けされた印刷対象コンテンツについて各種編集を行う場合について説明する図である。
【図５１】割り付けされた印刷対象コンテンツを差し替える場合について説明する図である。
【図５２】割り付けテンプレートに従って印刷対象コンテンツを割り付ける場合について説明する図である。
【図５３】撮影データを編集する場合について説明する図である。
【発明を実施するための形態】
【００２２】
以下、本発明の一実施形態による画像形成装置について図面を参照して説明する。
図１は、この発明の一実施形態による画像形成装置１０を適用した印刷システム１の構成を示す概略ブロック図である。
この図において、印刷システム１は、画像形成装置１０と、ユーザ端末２０と、共有サーバ３０と、ウェブサーバ４０とがネットワーク５０を介して接続される。画像形成装置１０は、印刷データを印刷する。ユーザ端末２０は、ユーザがそれぞれ所有あるいは利用するコンピュータであり、例えば、職場や自宅等に設置される。
共有サーバ３０は、企業や学校等の団体が利用するサーバである。共有サーバ３０は、その団体に所属するユーザがユーザ端末２０や画像形成装置１０を介してアクセスされる。ウェブサーバ４０は、インターネット等を介してユーザ端末２０や画像形成装置１０と接続可能なサーバである。
ユーザ端末２０、共有サーバ３０、ウェブサーバ４０は、それぞれ、ハードディスクやメモリ等の記憶装置を有し、ネットワークを介して画像形成装置１０からのアクセスに応じて、記憶領域に記憶されたデータを供給する。ウェブサーバ４０としては、例えば、クラウド技術を用いたクラウドサーバであってもよい。
なお、記憶領域は、端末装置、サーバ、クラウド等でもよいが、画像形成装置に記録媒体（メモリーカード等）を接続し、この記録媒体の記憶領域を参照するようにしてもよい。
【００２３】
図２は、画像形成装置１０の機能構成を表す概略ブロック図である。
この図において、取得部１０１は、少なくとも一つのファイルを外部に接続されるファイル記憶領域から取得する。また、取得部１０１は、ファイル記憶領域に記憶された複数のファイルのうち、ログインされたユーザに対して与えられている参照権限の範囲内のファイルを取得する。取得部１０１は、認証が得られた識別情報に対応するユーザに対して与えられている参照権限に基づく範囲でファイルを取得する。取得部１０１は、ログインされたユーザに関連する内容を含むお勧めファイルをサーバから取得する。なお、ファイルをコンテンツとも称する。
【００２４】
表示部１０２は、前記複数のファイルに基づく印刷イメージ画像を表示する。表示部１０２は、取得された複数のファイルについて各ページの印刷イメージ画像を表示することもできる。この表示部１０２の画面のサイズは、例えば、Ａ３サイズの画像を実物大で表示可能なサイズとされている。入力部１０３は、表示部１０２に表示されたファイルのそれぞれから、印刷対象のページを選択する指示を入力する。また、入力部１０３は、複数のファイルにまたがって指定された各ページを印刷対象のページとして選択する指示を入力する。また、入力部１０３は、割り当てイメージ画像を分割する境界を入力する。入力部１０３は、お勧めファイルに含まれるページを選択する指示を入力する。例えば、この表示部１０２と入力部１０３は、タッチパネルによって構成することができる。
【００２５】
印刷データ生成部１０４は、選択された印刷対象のページに基づいて印刷データを生成する。ページ分割編集部１０５は、入力される境界に従って、印刷媒体の１ページ内における複数の印刷領域を割り当てる。また、ページ分割編集部１０５は、分割された印刷領域を連結する指示の入力に応じて、印刷領域を統合する。レイアウト編集部１０６は、印刷媒体（例えば、印刷用紙）に対する印刷の向きと印刷領域との少なくともいずれかに基づいて、印刷媒体に対する印刷領域のレイアウトを決定する。原稿撮像部１０７は、撮像台に載せられた原稿を撮像して撮像データを生成する。編集部１０８は、編集指示に応じて撮像データを編集する。
【００２６】
認証部１０９は、ユーザのログイン入力に基づいて、ログインの可否を判定する。認証部１０９は、記憶媒体から読み出される識別情報を用いて認証を行うことができる。記録媒体としては、例えば、ＲＦＩＤ（radio frequency identifier）カードを用いることができる。読み出し部１１０は、通信領域内に近接される複数の記憶媒体からユーザを識別する識別情報をそれぞれ読み出す。この読み出し部１１０としては、例えば、リーダライタを用いることができ、表示部１０２を構成するタッチパネルの背面側に取り付けされる。この読み出し部１１０の水平方向における通信可能領域は、タッチパネルの画面の領域とほぼ等しいサイズに設定されることが望ましい。
【００２７】
記憶部１１１は、各種情報を記憶する。例えば、記憶部１１１は、画像形成装置１０の利用可能なユーザのそれぞれの識別情報を記憶する。この識別情報と一致するＲＦＩＤカードを有するユーザは、ログインが可能である。また、記憶部１１１は、ユーザ毎にユーザ設定情報を記憶する。このユーザ設定情報は、ユーザが画像形成装置１０を利用する際の各種設定された内容を表す情報であり、例えば、メニュー画面におけるアイコンの配置位置、ウィジェットの種類や配置位置、メニュー画面の背景色、メニュー画面において最初に表示するフォルダ等を定める情報である。
また、記憶部１１１は、ユーザの識別情報毎に、参照可能な記憶領域を特定するポリシー情報が記憶されている。このポリシー情報は、参照可能なデータを特定することができればよく、例えば、参照可能な他のユーザのユーザ端末の記憶領域や、共有サーバ３０の記憶領域や、Ｗｅｂサーバの記憶領域を特定することができる情報であればよい。より具体的には、識別情報と、ファイル毎の参照可否の情報とが対応付けられるようにしてもよい。
【００２８】
制御部１１２は、画像形成装置１０の各部を制御する。
印刷部１１３は、印刷データに基づいて印刷媒体に印刷する。また、印刷部１０５は、割り当てられた印刷領域に対して印刷対象のページをレイアウトして印刷する。また、印刷部１１３は、撮像データ編集部１０８によって編集された撮像データに基づいて印刷する。
【００２９】
次に、上述の画像形成装置１０の動作について、図３のフローチャートを用いて説明する。
画像形成装置１０の認証部１０９は、まず、ログイン処理を行う（ステップＳ１００）。ここでは、表示部１０２は、タッチパネル上にログイン画面を表示する。そして、ユーザによって、当該ユーザが携帯するＲＦＩＤカードがタッチパネル上に近接あるいは載置されると、読み出し部１１０は、ＲＦＩＤカードに記憶された識別情報を読み出す。認証部１０９は、この読み出された識別情報と、記憶部１１１に記憶された認証対象の識別情報と比較し、一致していれば、認証を成立させてログインさせ、一致しない場合に、認証を成立させず、表示部１０９によってエラー表示をさせる。ここでは、例えば、タッチパネル上の左側領域と右側領域との２つの領域を表示し、いずれかの領域内においてＲＦＩＤカードが載置されると、載置された位置の領域に応じて、ユーザが左利きあるいは右利きであることを検出し、利き手に対応したメニュー画面を表示することもできる。例えば、左側領域にＲＦＩＤカードが載置された場合には、左利き用のメニュー画面を表示し、右側領域にＲＦＩＤカードが載置された場合には、右利き用のメニュー画面を表示する。左利き用のメニュー画面は、メニューボタンがタッチパネルの所定の領域（例えば右端部側）に表示され、右利き用のメニュー画面は、メニューボタンがタッチパネルの所定の領域（例えば左端部側）に表示される。
【００３０】
ログインされると、制御部１１２は、記憶部１１１を参照し、ログインされたユーザの識別情報に対応するユーザ設定情報を読み出し、このユーザ設定情報に応じたメニュー画面を表示する（ステップＳ１０１）。例えば、ネットワーク５０で接続された認証済のユーザ端末２０、共有サーバ３０、ウェブサーバ４０にアクセスすることが可能なアイコンを表示する。また、ログインしたユーザがよく利用するプリンタの機能や任意で配置したウィジェット等が表示される。
メニュー画面が表示されると、取得部１０１は、ログインされたユーザの識別情報と記憶部１１１に記憶されたポリシー情報に基づいて、参照可能なファイルを特定し、参照可能とされたファイルをタッチパネル上に表示する（ステップＳ１０２）。
【００３１】
タッチパネル上に表示されたファイルのうち、印刷対象となるファイルがユーザによってタッチパネルを介してタッチ入力されると（ステップＳ１０３）、取得部１０１は、タッチ入力されたファイルに関連するファイルを、ポリシー情報にて参照可能な範囲から検索する。制御部１１２は、検索によって得られたファイルを関連情報としてタッチパネル上に表示する（ステップＳ１０４）。ここで、ファイルには、ファイルの制作者、データの保管場所（個人の端末、クラウドや共有サーバなど）、アクセス権を有するユーザの識別情報やグループ、制作日、共有可能なメンバー情報、ファイルに画像が含まれている場合にはその画像の特徴を表す情報、利用頻度等が属性情報として関連付けされて記憶されている。制御部１１２は、現在タッチ入力されたファイルの属性情報に一致する他のファイルを他のユーザのユーザ端末２０、共有サーバ３０、ウェブサーバ４０から検索し、検索の結果得られたファイルを関連情報として得る。属性情報は、全ての項目において一致するファイルを得るようにしてもよいし、いずれか一部の項目が一致するファイルを得るようにしてもよい。また、選択されたファイルに含まれる文字列をキーワードとして関連情報を検索したり、選択されたファイルに含まれる画像について、画像認識を行い、認識された画像に関連する関連情報を検索することもできる。例えば、選択されたファイルに「プリンタ」、「印刷用紙」等のキーワードが含まれていた場合には、このキーワードに対応する関連情報が得られる。また、選択されたファイルに含まれる画像が特定の人物（例えば、スポーツ選手）であることが顔認証機能等を用いて検出された場合には、その人物（スポーツ選手）に関連する情報（試合結果、次回の試合予定日、スポーツ選手が所属するチームの他の選手に関する情報）等が得られる。また、ユーザが任意に関連情報として情報を取り出す場合には、画面右側のおすすめエリア上段に表示される各種アイコンから、特定の記憶領域にアクセスし、利用したいファイルを指定することで関連情報として得ることもできる。
【００３２】
そして、表示された関連情報のうちいずれかのファイルがユーザによってタッチ入力されると（ステップＳ１０５）、タッチされたファイルを表示する。ここでは、他のファイルが既に表示されていた場合には、関連情報のうち選択されたファイルについても、並べて表示される。また、表示されたファイルの表示位置を変更する並べ替え表示もドラッグの操作に応じて行う。
取得部１０１はさらに、選択された関連情報であるファイルに対し、さらに関連する関連情報を検索する。制御部１１２は、検索して得られた関連情報を第２関連情報としてタッチパネル上に表示する（ステップＳ１０６）。第２関連情報についても、上述の関連情報と同様に、属性情報を用いて検索することで得られる。表示された関連情報に階層構造がある場合には、ファイルのタッチ操作に応じて下層に位置するファイルも表示される。
【００３３】
次に、入力部１０３は、ユーザからの操作入力に応じて、表示されたファイルのうち、印刷対象となるページを選択する選択入力を受付ける（ステップＳ１０７）。例えば制御部１１２は、入力部１０３を介して、印刷対象のページが含まれるファイルのいずれかのページを長押し（一定時間以上、タッチを継続する）されると、各ファイルのそれぞれのページにチェックボックスをタッチパネル上に表示させる。ユーザは、このチェックボックスをタッチすることで、印刷対象のページを選択することができる。ここでは、制御部１１２は、異なるファイルに印刷対象のページがある場合には、複数のファイルにまたがって印刷対象のページの指定の入力を受付ける。
【００３４】
印刷対象のページの選択がなされ、印刷設定の起動を指示するボタンがユーザによってタッチされると、入力部１０３は、印刷設定の起動指示の入力を受付ける（ステップＳ１０８）。制御部１１２は、この印刷設定の起動指示に応じて、印刷設定処理を実行し、ユーザから、各種印刷設定の入力を受付け、入力された各種設定指示に応じて印刷設定を行う（ステップＳ１０９）。印刷設定が終了すると、印刷データ生成部１０４は、設定された印刷設定の内容に応じて、印刷対象のページを配置した印刷データを生成する。印刷データが生成されると、印刷部１１３は、印刷データに従い、印刷媒体に印刷する（ステップＳ１１０）。
【００３５】
次に、図４のフローチャートを用いて、図３のステップＳ１０９における印刷設定についてさらに説明する。印刷設定の起動指示が入力された後、用紙の向きを指定する指示が入力されると、入力された指示に応じて、用紙の向きを決定する（ステップＳ２００）。例えば、制御部１１２は、用紙のイメージ画像をタッチパネル上に表示し、その用紙のイメージ画像のうち、２点をタップしながら回転させる指示が入力されると、その回転方向と回転量に従って、用紙の向きを変更する。例えば、制御部１１２は、Ａ４サイズの用紙について縦長になるような向きで用紙のイメージ画像を表示しておき、向きを変える指示が入力されると、横長になるような向きで用紙のイメージ画像を表示し、横長の向きを印刷用紙の向きとして決定する。なお、制御部１１２は、決定された後、さらに向きを変更する指示が入力されると、再度向きを変更することもできる。
【００３６】
次に、制御部１１２は、印刷のプレビュー画面を表示し、入力部１０３を介して、拡大あるいは縮小をするジェスチャー入力がされると、その指示に応じてプレビュー画面を拡大または縮小して表示する（ステップＳ２０１）。制御部１１２は、拡大の指示が入力されると、プレビュー画面を拡大表示する。例えば、拡大表示させる場合、その操作量に応じて、表示画面上に印刷対象のページが１ページのみが表示されるように拡大して表示することができる。一方、縮小表示させる場合、その操作量に応じて、表示画面状に印刷対象のページが全て収まるように表示されるように縮小して表示することができる。
【００３７】
次に、制御部１１２は、印刷対象の順序の入れ替え指示に応じて、印刷対象のページの印刷順序を変更する。例えば、制御部１１２は、印刷対象のページを横方向に印刷順に従って並べて表示しておき、ユーザからいずれかのページをドラッグドロップの操作が行われることで、そのドロップされた先の位置に応じてページを並べ替える。ここでは、ページが並べ替えられると、その並べ替えされた配置順が、印刷順に対応する。
【００３８】
次に、制御部１１２は、ページの割り付けを行う（ステップＳ２０３）。具体的に、制御部１１２は、プレビュー画面におけるいずれかのページに対し、ページの上端側の辺の略中央を起点として上端側から下端側に向かって指でなぞるように入力されると、１枚の印刷用紙において２頁を横方向に並べるようにレイアウトして表示する。これにより、１枚の印刷用紙に対し、横方向に２つのページを並べるページ割り付けである印刷設定として受付ける。ここでは、指でなぞる向きや数に応じて、ページの割り付けを種々設定することができる。
【００３９】
次に、制御部１１２は、印刷枚数（部数）の指定の入力を受付ける（ステップＳ２０４）。ここでは、制御部１１２は、印刷部数の入力数に従って印刷枚数の指定を受付ける。例えば、印刷部数を２として入力された場合には、各ページをそれぞれ２部印刷する。
【００４０】
上述したステップＳ２００からステップＳ２０４の処理を行う順序は、これに限られるものではなく、ユーザからの入力指示に応じて、いずれの処理から順に実施してもよいし、一部の処理のみ実施してもよい。
【００４１】
次に、表示部１０２に表示される画面例について図を用いて説明する。
図５は、ログイン画面の表示例を示す説明図である。
表示部１０２の表示画面５００には、例えば、「認証カードを置いて下さい」等のメッセージが表示される。また、表示部１０２の中央を基準として左側には、ログインエリア５０１、右側にはログインエリア５０２が設定されている。例えば、ユーザによってＲＦＩＤカード５０３がログインエリア５０２に載置されると、読み出し部１１０は、ログインエリア５０２に載置されたＲＦＩＤカード５０３に記憶された識別情報を読み出す。認証部１０９は、この読み出された識別情報に基づいて認証を行うとともに、ログインエリア５０２を利用してログインされたことを検出する。これにより、ログインエリア５０２を利用してログインしたこと及び識別情報に基づくメニュー画面を表示することができる。また、ログインエリア５０１にＲＦＩＤカード５０３が載置されると、認証部１０９は、ログインエリア５０１から読み出し部１１０によって読み取られた識別情報に基づいて認証を行う。この場合、メニュー画面は、ログインエリア５０１からログインされたこと及び識別情報に基づくメニュー画面が表示される。例えば、ログイン画面の左側に配置されたログインエリア５０１を利用してログインされた場合には、ユーザが左利きである可能性が高いため、左利き用のメニュー画面を表示させる。一方、ログイン画面の右側に配置されたログインエリア５０２を利用してログインされた場合には、ユーザが右利きである可能性が高いため、右利き用のメニュー画面を表示させる。これにより、利用するログインエリアに応じたメニュー画面を表示することができる。
【００４２】
図６は、表示部１０２に表示されるメニュー画面の一例を表す図である。ここでは、ＲＦＩＤカードが載置されたログインエリア及び認証された識別情報に基づく画面が表示される。例えば、ログインされたユーザの識別情報に対応するユーザ設定情報に従い、アイコンの配置位置、背景色、メニュー画面において表示するフォルダ等が表示される。例えば、メインメニューが表示されるメインメニュー表示領域５１０が画面左端側に割り当てられ、ユーザの利用頻度が高いプリンタの印刷機能や任意で配置したウィジェットが表示されるウィジェット表示領域５１１が画面上方側に表示され、自分以外のユーザとの間で共有して参照することができるファイルやフォルダが表示される共有領域５１２が画面下方側に表示される。
また、例えば、ユーザ設定によっては、認証されたユーザ個人が利用するユーザ端末２０、クラウド（ウェブサーバ４０）、社内メンバーとして所属しているグループ間で共有している共有サーバ３０等のフォルダを表示することもできる。また、他のメンバー間で共有しているクラウド（ウェブサーバ４０）、他のユーザと共有している共有している共有サーバ３０等のフォルダを表示することもできる。
【００４３】
図７は、ログインしたユーザ自身のユーザ端末２０に記憶されたファイルやフォルダが表示された場合の画面を表す図である。ここでは、図６に示すようなメニュー画面において、ユーザによってスワイプ操作がなされることに応じて、ユーザ端末２０に記憶されたファイルやフォルダが表示される。ここでは、例えば画面左下側に配置されたコンテンツ（符号５２０）が選択されると、その選択されたコンテンツがユーザ端末２０から読み出され、図８に示すように画面上に表示される。
【００４４】
図９は、関連情報が表示された画面を表す図である。ユーザによって選択されたファイルが図８に示すように表示されると、制御部１１２は、関連情報を検索し、得られた関連情報を、画面の左側に表示する（符号５３０）。ここでは、関連情報が複数得られた場合には、縦方向に並べて表示される。また、関連情報を縦方向（例えば下方向）にスクロールさせる指示がユーザから入力されると、ユーザ自身のユーザ端末２０や共有サーバ３０にアクセスするためのアイコンを表示させることもできる（図１０、符号５４０）。このアイコンをタッチすることで、ユーザは、現在表示されているファイル以外のファイルを画面上に追加して表示させることができる。
【００４５】
図１１、図１２、図１３、図１４、図１５は、関連情報が選択される場合を説明する図である。例えば、関連情報のうち、上から２番目のファイル（符号５５０）が選択されると、図１２に示すように、既に画面上に表示されたファイル（符号５６１）と、この選択されたファイルの各頁（符号５６２）とが並べて表示される。また、選択されたファイルが表示されると、取得部１０１は、この選択されたファイルに関連する関連情報を第２関連情報として検索して取得する。得られた第２関連情報は、画面左端側に表示される（図１３、符号５７０）。そして、第２関連情報として表示されたファイルのうちいずれかのファイルがタッチされ、そのファイルが階層構造となっている場合には、その下層のファイルが、第２関連情報に並べて表示される（図１３、符号５７１）。この第２関連情報の中から、ユーザによってファイルが選択されると、既に表示されたファイルに並べて画面上に表示される（図１４、符号５８０）。さらに、他のファイルや関連情報、第２関連情報等が選択されると、その選択されたファイルが画面上に選択される毎に表示される（図１５、符号５９０）。表示されたファイルについては、そのファイルに含まれる各ページが横方向に並べられて表示される。並べられたページが画面内に収まらない場合には、ユーザが画面上をフリック操作することで、他のページも表示させることができる（図１５、符号５９１）。
【００４６】
ここで、画面上に表示された各フォルダのいずれかのページに対して、ユーザによってピンチインあるいはピンチアウトの操作がなされると、制御部１１２は、その操作に応じて、操作されたページの拡大表示や縮小表示を行う。また、制御部１１２は、ファイルの先頭ページに付されたアイコン（図１５、符号５９２）がユーザによって長押しされると、そのファイルについて、他のファイルに対して上下方向における配列を入れ替えるように表示することができる。
このように、印刷対象のページが含まれるファイルの各ページを、複数のファイル毎に表示するようにしたので、ユーザは、ファイルをまたがった一覧画面にて、種々のファイルを閲覧しながら、印刷対象ページを個別に選択することができる。
【００４７】
また、図１５において表示されるファイルは、それぞれファイル形式が異なっていても表示される。例えば、一般的なプリントジョブでは、パソコン等のコンピュータから印刷する部分のデータのみをプリンタ側が受信したり、データ形式を印刷しやすい形式（ビットマップ形式等）に変換したりした後に、受信する方式とは異なり、画像形成装置１０の表示部１０２上に、ファイル毎にデータを読み出して（画像形成装置１０にファイルを複製させて保持）利用することができる。例えば、文書作成ソフトによって作成されたファイルや、イラスト作成ソフトによって作成されたファイルや、表計算ソフトによって作成されたファイルや、写真データのファイル等を１つの画面上に縦方向に並べるとともに、各ファイルの各ページを横方向に並べて表示することができる。
また、セキュリティの観点から、ファイルの複製を行わないように設定された場合には、コンピュータからファイルを移動させることで、常時１ファイルとして利用することも可能である。
関連情報を表示することで、ユーザが利用しようとしたファイルに対して関連性があるファイルをユーザに対して提示することができる。このため、ユーザは、自身が当初利用しようとしたファイル以外にも、利用できそうなファイルを関連情報から選択することができ、その場でどのようなファイルを印刷するか創造して作成することができる。
【００４８】
図１６は、図１５に示す画面において、いずれかのページが長押しされた後の画面の一例を表す図である。図１５に示す画面においていずれかのページが長押しされると、表示された各ファイルの各ページにチェックボックスが表示される。このチェックボックスは、印刷対象のページであるか否かを表す情報を入力することができる。ユーザによってこのチェックボックス内がタッチされると、印刷対象のページとして設定されるとともに、印刷対象のページであることを表すチェックマークがチェックボックス内に表示される（符号６００）。ここでは、１つのファイルだけでなく、複数のファイルにまたがって印刷対象のページを指定することができる。そして、必要な各ページにチェックがなされると、選択されたページをどのように印刷するかを設定する印刷設定ボタンが表示される（図１７、符号６１０）。
【００４９】
印刷設定ボタンがユーザによってタッチされると、チェックマークが付されたページを画面上に表示し、チェックマークが付されていないページを非表示にする（図１８）。そして、画面左側端にある、印刷設定を開始するためのアイコンがタッチされると（図１８、符号６２０）、印刷設定画面に移行する。
このようにして、複数のコンテンツを同時に並べて表示させ、任意のページを選択でき、まとめて１つの印刷データとして印刷することができる。
【００５０】
図１９は、印刷設定画面において表示される画面の一例を表す図である。印刷設定画面では、印刷ページのそれぞれ（符号６３０、符号６３１）に対して、対応する印刷対象のページがそれぞれレイアウトされ、印刷プレビュー画面として表示される（符号６３２、符号６３３）。ここでは、印刷ページの領域内に収まるように、印刷対象のページがレイアウトされて表示される。なお、ここでは、印刷ページのページサイズがデフォルトで決められているが、Ａ４からＡ３、Ｂ５からＢ４等の任意のサイズに変更することもできる。また、ここでは、ユーザによってスワイプ操作がされることで、現在の画面には表示されていない他の印刷ページについても表示させることができる。
ここでは、表示部１０２の画面サイズがＡ３を実物大で表示可能な画面サイズであるため、印刷ページの印刷サイズをＡ３やＡ４、Ｂ５等に設定したとしても、その設定された印刷サイズの実物大で印刷イメージを表示することが可能である。そのため、ユーザは、実際に印刷された場合の雰囲気を画面上で確認することが可能である。
【００５１】
図２０は、印刷ページの向きを変更する場合について説明する図である。レイアウト編集部１０６は、ユーザによって印刷ページ（符号６４０）の対向する２箇所の頂点の近傍がタッチされた状態（符号６４１、符号６４２）で、印刷ページの中央を中心として回転させるような操作入力（符号６４３）がなされると、その回転方向に従って、印刷ページを回転させる。符号６４０に示すように、縦方向の印刷ページに縦方向に印刷対象ページがレイアウトされた状態で、印刷ページの向きを変更する操作入力がなされると、図２０符号６４０に示すように、横方向の印刷ページに対して、縦方向に印刷対象コンテンツがレイアウトされて表示される。このように印刷ページの向きを変更する指示が入力されると、図２１に示すように、印刷媒体を横方向にした状態で印刷対象のページが縦方向にレイアウトされた状態の画面が表示される。このように、表示部１０２の画面にてレイアウトされる向きを確認しつつ、指でタッチしながら回転させることで、直感的にレイアウトの設定を行うことが可能となる。
また、プレビュー画面において、拡大または縮小の操作入力を行うことも可能である。例えば、プレビュー画面において、ユーザから縮小表示の指示が入力されると、制御部１１２は、図２２に示すように、プレビュー画面を縮小して表示する。ここでは、４ページ分の印刷対象のページが、全て画面内に収まるように縮小されて表示される。また、ここでは、印刷される順に従って、左から順に並べて表示される。
【００５２】
図２３、図２４は、印刷対象のページの印刷順を変更する場合について説明する図である。例えば、図２１あるいは図２２のように印刷プレビューが表示された画面において、ユーザによって、いずれかのページをドラッグし、任意の印刷順に対応した位置にドロップすることで、印刷順を入れ替えることができる。例えば、図２３において、４ページある印刷ページのうち、最終ページ（４ページのうち右端に表示された印刷ページ）がドラッグされ左から２番目の印刷ページにドロップされると、２ページ目に印刷されるように印刷順が変更される。また、この印刷順の変更にともない、２ページ目、３ページ目に表示される印刷対象コンテンツが、３ページ目、４ページ目にその印刷順序が変更され、画面上においても順序が入れ替えられて表示される（図２４）。ここでは、印刷対象のページを移動させる場合について説明したが、印刷対象コンテンツを印刷ページと一緒に移動させることで、印刷順を入れ替えるようにすることもできる。
このように、画面上で配置位置を視認しつつ、ドラッグ、ドロップ等の操作で印刷順を入れ替えることができるため、印刷順をわかりやすく把握し、簡単な操作で行うことができる。
【００５３】
図２５、図２６は、印刷ページにおける割り付けについて説明する図である。デフォルト状態においては、印刷ページ１ページに対して印刷対象コンテンツ１ページを割り付ける設定となっている。ここで、ユーザによって、いずれかの印刷ページにおける一端側から他端側に向かってなぞる操作入力がなされると、ページ分割編集部１０５は、その指示に応じて、印刷ページに印刷対象のページを増やすように設定を変更するとともに、そのなぞる方向に従って、ページの割り付け位置を決定する。例えば、図２５に示すように印刷対象ページを縦方向になぞるように操作入力されると（符号６５０）、図２６に示すように、１つの印刷ページに対して横方向に２つの印刷対象コンテンツを１ページ分並べるように割り付けし（符号６６０）、表示する。ここでは、他の印刷ページについても、同様の割り付けとなるように変更され、印刷対象コンテンツが割り付けされない印刷ページについては、非表示となる。
このようにユーザのジェスチャーに応じて割り付けを行うことで、簡単な指示で直感的に割り付けを行うことができる。
【００５４】
図２７は、印刷部数の指定について説明する図である。印刷部数設定を行うボタン（符号６７０）がユーザによってタッチされると、制御部１１２は、印刷部数を指定するサブ画面（符号６７１）を表示させ、ユーザから印刷部数を増減させるボタンあるいは印刷部数を表す数の入力がなされることに応じて、印刷部数を決定する。そして、ユーザによって印刷開始を表すボタンがタッチされると、印刷データ生成部１０４は、表示された印刷イメージに従って、印刷データを生成し、部数の指定とともに印刷部１１３に出力する。印刷部１１３は、この印刷データを指定された部数に従って印刷する。
【００５５】
次に、上述した実施形態の変形例について説明する。
図２８は、ログインエリアの他の例について説明する図である。上述の実施形態において、ログインエリアは、左右に分けて配置される場合について説明したが、図２８に示すように、上下方向に２つのエリアを配置することもできる。例えば、表示部１０２の画面の上方にログインエリア６８０、下方にログインエリア６８１が配置される。例えば、ログインエリア６８０は、一般ユーザ向けとして設定されたログインエリアであり、ログインエリア６８１は、子供向け、あるいは車椅子を利用しているユーザ向けとして設定されたログインエリアである。このログインエリア６８０にＲＦＩＤカードが載置された場合には、通常のメニュー画面を基準とし、そのログインしたユーザの識別情報に対応した画面設定に応じて各種アイコンやメニューが配置される。一方、ログインエリア６８１が子供向けとして設定されており、ＲＦＩＤカードが載置された場合、子供向けのメニュー画面を基準とし、そのログインしたユーザの識別情報に対応した画面設定に応じて各種アイコンやメニューが配置される。子供向けのメニュー画面においては、一般ユーザ向けに比べて簡易的な機能に絞られた範囲でのメニュー画面が画面手前側（画面の下方）に配置され、表示される。表示されるメニュー画面には、「印刷」と「コピー」と「原稿スキャン」の３つの機能に絞ったアイコンを表示し、これらの機能に絞って使用可能とさせることができる。また、メニュー画面が画面手前側（画面の下方）に配置させることで、身長が低い子供でも操作入力しやすくすることができる。
また、ログインエリア６８１が車椅子利用者向けとして設定されており、ＲＦＩＤカードが載置された場合、車椅子利用者向けのメニュー画面を基準とし、そのログインしたユーザの識別情報に対応した画面設定に応じて各種アイコンやメニューが配置される。車椅子利用者向けのメニュー画面としては、例えば、車椅子利用者にとって座ったままでもタッチしやすいように、メインメニューのアイコンが画面手前側（画面の下方）に配置され、表示される。
【００５６】
また、ログインは、１人のみ行うだけでなく、複数人が同時にログインできるようにしてもよい。例えば、複数人が同時にログインする場合には、割り込み利用モードと、共用利用モードとを選択することができる。図２９は、割り込み利用モードについて説明する図である。割り込み利用モードは、画面の切り換えボタンを押すことで、同時にログインしたユーザの画面（符号６９０、符号６９１）を切り換えて利用できるモードである。割り込み利用モードでは、ログインした第１のユーザと第２のユーザにおいて、第１のユーザの利用環境を保持したまま、第２のユーザの利用環境を保持し、いずれかのユーザ向けの画面を切り換えて表示し、操作入力することが可能である。
【００５７】
図３０は、共用利用モードについて説明する図である。共用利用モードは、１つの画面上に、複数のユーザのそれぞれが利用可能なメニューやファイル、フォルダが利用可能に表示される。例えば、画面の左端側には、メインメニュー７００が表示されるとともに、ログインした第１のユーザのユーザ端末２０にアクセスするためのアイコン７０１と、ログインした第２のユーザのユーザ端末２０にアクセスするためのアイコン７０２と、第１のユーザと第２のユーザとの両方から参照可能な共有サーバ３０上の領域にアクセスするためのアイコン７０３と、第１のユーザと第２のユーザとの両方から参照可能なクラウド上のサーバ（ウェブサーバ４０）の領域にアクセスするためのアイコン７０４とが表示される。共用利用モードにおいては、複数のユーザの組み合わせに応じて、参照可能な対象のファイルに限定してアクセスし、印刷を行うことができる。また、第１のユーザと第２のユーザの少なくともいずれ一方のユーザが参照できるファイルを閲覧可能としてもよい。
また、最初にログインした第１のユーザに応じたメニュー画面を表示しておき、途中から第２のユーザがログインすると、第１のユーザが他のユーザに対して利用を許可していないフォルダ、ファイル、設定については非表示（利用不可）とされ、２人同時に利用可能なファイルやフォルダ、設定について表示される。ここでは、第１のユーザと第２のユーザとの間で、同時にログインしてもよいか否かについてポリシー情報として記憶しておき、認証を行う際に参照し、両方から同時ログインが許可されている場合について、後からログイン要求を行ったユーザのログインを許可してもよい。共用利用モードを利用した場合には、複数人が共同し、お互いに閲覧可能な範囲のファイルをその場で共有しつつ、印刷データを作成することができる。また、お互いに閲覧可能な範囲のファイルをその場で共有することができるため、ＰＣ等からファイルを送信してもらう等の手段で共有する必要がなく、手間を省くことができる。
【００５８】
なお、ログインする際、ＲＦＩＤカードを持参しなかったユーザについては、例えば、画面上に、自身の識別情報となる社員ＩＤ等をキーボード入力、あるいは手入力による文字認識を行うことで、入力し、認証部１０９が認証を行うようにすることもできる。また、特にログインを行わずに、メニュー画面に移行し、不特定のユーザでも閲覧可能な記憶領域のみ利用可能として各種印刷を行うこともできる。
【００５９】
図３１は、印刷部数の設定に関する他の例を説明する図である。例えば、印刷部数を設定するサブ画面を表示させた状態において、印刷ページを長押しすると、制御部１１２は、その印刷ページについて、印刷部数を変更させる。例えば、長押しに応じて表示された印刷ページのサブ画面において、「×２」等の数を２倍させることを表す指示（符号７１０）が入力されると、印刷部１１３は、その該当ページのみ、印刷部数の２倍の部数を印刷する。
【００６０】
図３２、図３３、図３４は、割り付けの他の例を説明する図である。上述の実施形態においては、ユーザによって縦方向に対する操作入力された場合の割り付けについて説明したが、横方向に対する操作入力や、両方についての操作入力がされた場合についても割り付けをすることができる。
例えば、レイアウト編集部１０６は、符号７２０に示す印刷ページにおいて、縦方向の一方の辺から向かい合う他方の辺に向かうように横方向（符号７２１）に指でなぞるように操作入力されると、符号７２５に示す印刷ページのように、印刷対象ページが印刷ページにおける上側（符号７２６）と下側（符号７２７）とに並ぶように割り付けされる。さらに、上下方向に割り付けされた図３２符号７２５に示す印刷ページに対して、図３３の符号７３０に示す図のように、縦方向になぞるように操作入力がなされると、図３３符号７３５に示すように、１つの印刷ページに対して、縦に２列、よこに２列となるように印刷対象ページが割り付けられる。ここでは、印刷順序は、例えば、上側左（符号７３６）、上側右（符号７３７）、下側左（符号７３８）、下側右（符号７３９）の順に印刷順序が設定される。
【００６１】
また、縦に２列、横に２列となるように割り付けされた後、さらに印刷対象ページを分割して割り付けすることも可能である。例えば、図３４符号７４０の図のように、上段の２つの印刷対象ページを分割するような操作入力がなされた場合（符号７４１）や、図３４符号７４２の図のように、下段の２つの印刷対象ページを分割するような操作入力がなされた場合（符号７４３）には、図３４符号７４４に示すように、縦に３列、横に２列となるように、割り付けされる。ここでは、上段に２つの印刷対象ページ（符号７４５、符号７４６）、中段に２つの印刷対象ページ（符号７４７、符号７４８）、下段に２つの印刷対象ページ（符号７４９、符号７５０）、が割り付けされる。なお、以降同様に、分割する操作入力に応じて、その操作入力にされる直線を基準として印刷対象ページを分割して、１つの印刷ページに割り付けられる印刷対象ページを増加させることができる。
また、レイアウト編集部１０６は、分割する操作入力の途中で指を一旦停止させ、そのまま元の位置に戻るような操作入力がなされると、分割する操作入力をキャンセルし、分割する割り付けを行わないようにすることもできる。
【００６２】
図３５、図３６は、割り付けされた印刷対象ページを統合する場合について説明する図である。この図における符号７６０に示すように、ユーザによって上段２つの印刷対象ページ近傍（符号７６１）と、中段２つの印刷対象ページ近傍（符号７６２）とがタッチされつつ、矢印に示すように近づく方向に向かって操作入力がなされると、ページ分割編集部１０５は、図３５符号７６５に示すように、上段２つ印刷対象ページと中段２つの印刷対象ページとを統合し、１つの印刷対象ページに、縦に２列、横に２列となるように割り付けを変更する。ここでは、図３５符号７６０における割り付けにおいて、ユーザによって中段２つの印刷対象ページ近傍と、下段２つの印刷対象ページ近傍とがタッチされつつ、お互いに近接させる方向に操作入力がなされた場合であっても同様に、図３５符号７６５に示すように統合させることができる。また、縦に２列、横に２列となるように割り付けされた状態において、図３６符号７７０に示すように、ユーザによって上段２つの印刷対象ページ近傍（符号７７１）と、下段２つの印刷対象ページ近傍（符号７７２）とがタッチされつつ、矢印に示すように近づく方向に向かって操作入力がなされると、ページ分割編集部１０５は、図３６符号７７３に示すように、上下に２つの印刷対象ページとなるように統合し、割り付けを変更する。なお、図３５、図３６においては、縦方向における印刷対象ページを統合する場合について説明したが、縦方向における１列の印刷対象ページと他の１列の印刷対象ページとを近接させるような操作入力がなされると、縦方向における互いの印刷対象ページを統合することもできる。このように、割り付けに関し、印刷領域の分割と統合を直感的な操作で行うことができる。また、上述の割り付けについて、レイアウト編集部１０６は、分割や統合を行うと、分割された領域あるいは統合された領域に対し、コンテンツの割り付けを再度行って表示部１０２に再表示する。これにより、分割や統合を行う毎にすみやかに割り付けを行うことができる。
【００６３】
図３７は、印刷対象ページに対する縮小操作によって割り付けを行う場合を説明する図である。この場合、レイアウト編集部１０６は、図３７符号７８０に示すように、縦方向の１つの印刷ページに対し、縦方向に１つの印刷対象ページを割り付けした状態において、印刷対象ページの対向する頂点付近の２点（符号７８１、符号７８２）を指で押さえながら、ユーザから入力されるピンチアウトの操作がなされると、図３７符号７８３に示すように、縦方向の１つの印刷ページにおいて、縦方向の２つの印刷対象ページを上下方向に並べた割り付けをする。そして、さらに、一方の印刷対象ページにおける頂点付近の２点（符号７８４、符号７８５）にて、ピンチアウトの操作がなされると、レイアウト編集部１０６は、図３７符号７８６に示すように、縦方向の１つの印刷ページに、縦２列、横２列の縦方向の印刷対象ページを割り付けする。
【００６４】
図３８は、印刷対象ページに対する縮小操作によって割り付けを行う場合を説明する図である。この場合、レイアウト編集部１０６は、図３８符号７９０に示すように、横方向の１つの印刷ページに対し、横方向に１つの印刷対象ページを割り付けした状態において、印刷対象ページの対向する頂点付近の２点（符号７９１、符号７９２）を指で押さえながら、ユーザから入力されるピンチアウトの操作がなされると、図３８符号７９３に示すように、横方向の１つの印刷ページにおいて、横方向の２つの印刷対象ページを上下方向に並べた割り付けをする。そして、さらに、一方の印刷対象ページにおける頂点付近の２点（符号７９４、符号７９５）にて、ピンチアウトの操作がなされると、レイアウト編集部１０６は、図３８符号７９６に示すように、横方向の１つの印刷ページに、縦２列、横２列の横方向の印刷対象ページを割り付けする。
この図３７、図３８に示すように、印刷対象ページの縮小操作によって割り付けを行う場合について説明したが、印刷対象ページの拡大操作によって割り付けを行うようにしてもよい。例えば、印刷ページに割り付けられた印刷対象ページに対し、ピンチインの操作がなされると、レイアウト編集部１０６は、１つの印刷ページに割り付けられた印刷対象のページを減らすように割り付けをし直す。
また、このように、サイズ変更に応じて割り付けをし直すことで、レイアウト編集部１０６は、変更後の割り付けに従ってコンテンツの割り付けを再度行って表示部１０２に再表示する。これにより、サイズ変更が行われたとしても、すみやかに割り付けを行うことができる。
【００６５】
図３９は、印刷ページを回転させることで割り付けを変更する場合について説明する図である。この図において、横方向の印刷ページに対して横方向のコンテンツを縦２列、横２列として割り付けられた状態において、ユーザによって、印刷ページの対向する２点の頂点近傍（符号８０１、符号８０２）がタッチされつつ、印刷ページを右または左回りに回転させる操作入力がなされると、レイアウト編集部１０６は、印刷ページを縦方向にし、印刷対象ページのサイズはそのままとして、印刷ページに割り付けを行う。ここでは、縦方項の印刷ページに、横方向のコンテンツを縦に３つ割り付け、次ページの印刷ページに、横方向のコンテンツを１つ割り付ける（符号８０３）。ここでレイアウト編集部１０６は、この印刷ページの回転操作が行われた場合において、回転された後の印刷ページに対して回転前と同じ向きのコンテンツを割り当て、そのコンテンツが回転されて後の印刷ページに収まりきらないと判定した場合には、回転された後の印刷ページと同じ向きの印刷ページを新たに生成し、収まりきらならなかったコンテンツを割り付ける。また、レイアウト編集部１０６は、回転された後の印刷ページに対して回転前と同じ向きのコンテンツを割り当てる際、回転前のコンテンツの縦方向の配置と横方向の配置数のままで印刷ページに収まるか否かを判定し、収まらない場合には、収まるようにコンテンツの縦方向の配置数とコンテンツの横方向の配置数との少なくともいずれか一方の配置数を変更する。図３９では、縦２列、横２列で配置されたコンテンツが、回転後においては、縦１列、横３列に変更される。印刷ページに対してコンテンツが収まるか否かについての判断は、たとえば、印刷ページの縦横のサイズと、コンテンツの縦横のサイズ、及び印刷ページにおける余白サイズを参照することで行うことができる。
このように、コンテンツのサイズ、向きと、印刷ページの向き、サイズの組み合わせに応じて、簡単に割り付けを行うことができる。また、回転された後の印刷ページに、当該印刷ページに割り付けられていたコンテンツが収まるようであれば、そのコンテンツを回転された後の印刷ページに割り付けることができ、一方、コンテンツのサイズ、向きによっては、１つの印刷ページに割り付けることができないコンテンツについては、次の印刷ページに割り付けることができる。これにより、印刷ページの回転に伴い、コンテンツの割り付けをする際に、ユーザがサイズや向きについて考慮しなければならない負担を軽減することができる。
【００６６】
図４０は、印刷対象ページの向きについて割り付けを変更する場合について説明する図である。図４０符号８１０に示すように、印刷ページに割り付けされた印刷対象ページにける対向する頂点２点近傍（符号８１１、符号８１２）をタッチしつつ、右または左回りに回転させる操作入力がなされると、レイアウト編集部１０６は、印刷対象ページを、印刷ページに対してその回転量（回転角度）分だけ相対的に回転させ、割り付けをする。すなわち、印刷ページの向きはそのままにして、印刷対象ページの向きを回転させる。ここでは、例えば、図４０符号８１３に示すように、印刷ページに対して操作量に応じた角度だけ傾いた状態となるように割り付けされる。これにより、自由度の高い割り付けをすることが可能となる。
【００６７】
図４１は、ページ全体の向きを変更する場合を説明する図である。この図の符号８２０に示すように、横方向の印刷対象ページに、縦２列、横２列の横方向の印刷対象ページが割り付けされた状態において、ユーザから印刷ページと印刷対象ページとの両方を回転させる指示が入力されると（符号８２１）、レイアウト編集部１０６は、印刷ページに対する印刷対象ページの向きをそのままにして、印刷ページ全体を操作された回転方向に回転させる。これにより、印刷ページは縦方向になるが、印刷対象ページがそれぞれ９０度回転された状態で割り付けされる（符号８２２）。ここでは、ユーザから印刷ページと印刷対象ページとの両方を回転させる指示の入力の仕方としては、例えば、ユーザによって３箇所以上の点がタッチされた状態で回転をさせるような操作入力の仕方がある。また、ユーザによって４箇所あるいは５箇所（５本の指全てによって）タッチされて回転されてもよい。これにより、コンテンツと印刷ページとを一緒に、簡単に向きを変更することができる。
【００６８】
図４２は、印刷ページに印刷対象ページが割り付けされた位置を変更する場合を説明する図である。図４２符号８３０に示すように、縦方向の印刷ページに横方向の印刷対象ページが上下方向に並べられた状態において、上側に割り付けされた印刷対象ページがユーザによってタッチされた状態で、いずれかの方向（例えば、左上方向（符号８３１））に移動されると、レイアウト編集部１０６は、その操作方向と操作量に応じて、印刷ページに対する印刷対象ページの位置を変更する。例えば、図４２符号８３２に示すように、上側に割り付けされた印刷対象ページが左上に移動される。また、さらに、下側に割り付けされた印刷対象ページがユーザによってタッチされた状態で、いずれかの方向（例えば、右方向（符号８３３））に移動されると、レイアウト編集部１０６は、その操作方向と操作量に応じて、印刷ページに対する印刷対象の位置を右側に移動させる（符号８３４）。これにより、自由度のたかい割り付けをすることができる。
【００６９】
図４３は、印刷ページに印刷対象ページを配置する順を説明する図である。印刷対象ページを配置する順は、１枚の印刷ページに配置する印刷対象ページの総数にかかわらず、上段左側から右へ配置してゆき、次に下段左側から配置する順（符号８４０）と、上段左側から下段へ配置してゆき、次に上段右側から配置する順（符号８４１）とがある。レイアウト編集部１０６は、いずれの順で配置するかをユーザから指定入力を受付け、この指示に従って印刷対象コンテンツを順に配置する。
【００７０】
図４４、図４５は、レイアウトテンプレートについて説明する図である。このレイアウトテンプレートは、例えば、記憶部１１１に記憶されており、ユーザからテンプレートの選択指示が入力されることに応じて、レイアウト編集部１０６がその指示に従って記憶部１１１から読み出し、印刷設定として用いる。レイアウトテンプレートは、１つの印刷ページに割り付ける印刷対象コンテンツの数と印刷ページの向きとの組み合わせに対し、さらに、印刷対象コンテンツの向きが異なるパターンのそれぞれが決められている。このレイアウトテンプレートは、印刷ページにおける分割領域が固定的に予め決められており、その分割領域内に印刷対象コンテンツが配置される。
例えば、図４３において、１つの印刷ページに割り付ける印刷対象コンテンツの数が２であり、印刷ページが縦向きである場合には、上下に分割された印刷ページの領域のそれぞれに、横向きの印刷対象コンテンツを１つずつ配置するパターンと、左右に分割された印刷ページの領域のそれぞれに、縦向きの印刷対象コンテンツを１つずつ配置するパターンと、上下に分割された印刷ページの領域のいずれか一方に横向きの印刷対象コンテンツを１つ配置し、他方に縦向きの印刷対象コンテンツを１つ配置するパターンと、左右に分割された印刷ページの領域の一方に縦向きの印刷対象コンテンツを１つ配置し、他方の領域に横向きの印刷対象コンテンツを配置するパターンが、あげられる。また、１つの印刷ページに３つ以上の印刷対象コンテンツを割り付ける場合についても、印刷ページの向きと分割方向（左右方向、上下方向）の組み合わせに対し、さらに、印刷対象コンテンツを配置する向きによって、種々のレイアウトテンプレートが予め記憶される。
これにより、ユーザは、多数の選択肢の中から任意のテンプレートを選択して用いることができる。
【００７１】
次に、印刷ページにおける分割領域の大きさ、分割位置を変更することが可能なサイズ可変のレイアウトの場合について説明する。
図４６は、記憶部１１１に記憶される、印刷ページを分割する領域のサイズや分割位置がデフォルトとして決められた割り付けテンプレートの一例を表す図である。この割り付けテンプレートは、例えば、印刷ページの向きと、その印刷ページに対して印刷対象コンテンツを割り付ける数によって、分割された種々のパターンが記憶される。例えば、縦方向に複数分割するパターンや、横方向に複数分割するパターンや、縦方向及び横方向に複数分割するパターン等がある。また、分割された後の領域の数は偶数のパターンと奇数のパターンがある。また、ここでは、分割された領域に対して印刷対象コンテンツが配置される順についても決められていてもよい。
【００７２】
図４７は、分割領域を変更する場合を説明する図である。レイアウト編集部１０６は、ユーザによって割り付けテンプレートが選択されると、選択された割り付けテンプレートを表示部１０２に表示する。そして、図４７符号８５０に示すように、レイアウト編集部１０６は、表示された割り付けテンプレートの分割領域の境界部（区分線）がタッチされいずれかの方向に移動させる操作入力がされると、その移動方向に応じて、境界部を移動させる。例えば、横向きの印刷ページに対して上下方向と左右方向に４分割された分割領域が設定された割り付けテンプレートである場合において、下側領域における左右の領域を分割する境界部（符号８５１）がタッチされ、右側に移動させるような操作入力されると、図４７符号８５２に示すように、その下側における境界部を右側に移動させる（図４７符号８５３）。ここでは、上側の分割領域については、左右の分割領域の境界部は移動されず、下側の分割領域における左右の境界部が移動して分割された領域のサイズが変更される。このようにして、デフォルトで決められていた分割領域を元にして、ユーザは、境界部の位置を任意の位置に変更することで、分割領域のサイズを変更することができる。
【００７３】
図４８は、割り付けテンプレートに対して印刷対象コンテンツを配置する場合について説明する図である。レイアウト編集部１０６は、割り付けテンプレートがユーザによって選択され、境界部の変更の有無の選択や境界部の変更が完了すると、割り付けテンプレートに対して印刷対象コンテンツを配置する。ここでは、例えば、横向きの印刷ページに対して、上下方向及び左右方向に４分割されたそれぞれの領域に対して、印刷対象コンテンツが配置される。印刷対象コンテンツが縦向きである場合には、縦向きのまま、印刷対象コンテンツが横向きである場合には、横向きのまま配置される。
【００７４】
また、分割領域内に印刷対象コンテンツが収まらないような大きさである場合には、レイアウト編集部１０６は、印刷対象コンテンツが収まるサイズとなるように縮小して配置する。また、印刷対象コンテンツの大きさより分割領域の方が十分に大きい場合には、印刷対象コンテンツを拡大して配置することもできる。図４９は、割り付けテンプレートに対して印刷対象コンテンツのサイズを変更する場合としない場合について説明する図である。ここでは、４つの印刷対象コンテンツ（４ページ分の印刷対象コンテンツ）を印刷ページに割り付ける場合であって、印刷対象コンテンツ８６１、印刷対象コンテンツ８６２、印刷対象コンテンツ８６４が同じサイズが同じ大きさであり、印刷対象コンテンツ８６３が印刷対象コンテンツ８６１等よりもサイズが大きい場合について説明する。また、印刷ページの割り付けは、印刷ページが横向きであり、左右に領域が分割された割り付けテンプレートが用いられる。
印刷対象コンテンツのサイズについて拡大または縮小を行う指示がユーザによって入力部１０３から入力されている場合、レイアウト編集部１０６は、印刷対象コンテンツ８６３について、割り付けテンプレートの分割領域内に収まるサイズに縮小されて割り付けされる。このため、印刷対象コンテンツ８６１、８６２、８６３、８６４は、印刷ページの左右の分割領域にそれぞれ１つずつ配置される（符号８６５）。なお、印刷対象コンテンツ８６１、８６２、８６４については、分割領域に収まるサイズであるため、特にサイズ変更を行うことなく割り付けられる。
このように、印刷対象コンテンツのサイズが異なるページが含まれている場合には、割り付けテンプレートの分割領域のサイズに収まるように印刷対象コンテンツのサイズを変更する。これにより、サイズが異なる印刷対象コンテンツが含まれる場合であっても、サイズを変更することで、割り付けテンプレートに従った割り付けをすることができる。
【００７５】
一方、印刷対象コンテンツのサイズについて拡大または縮小を行わない指示がユーザによって入力部１０３から入力されている場合、レイアウト編集部１０６は、印刷対象コンテンツ８６３について、サイズの変更をせずに割り付けする。例えば、レイアウト編集部１０６は、印刷対象コンテンツ８６１、８６２について、割り付けテンプレートに従って１つの印刷ページに割り付けする。そして、レイアウト編集部１０６は、印刷対象コンテンツ８６３のサイズが分割された１つの分割領域に収まらない大きさであるため、印刷ページを分割せず、１つの印刷ページに印刷対象コンテンツ８６３をサイズ変更せずに割り付ける。レイアウト編集部１０６は、印刷対象コンテンツ８６４については、割り付けテンプレートに従い、印刷ページの左側の分割領域に割り付ける（符号８６６）。
このように、印刷対象コンテンツのサイズが異なるページが含まれており、そのサイズを変更しない場合であっても、割り付けテンプレートの分割領域を適宜変更することで柔軟に割り付けを行うことができる。
【００７６】
図５０は、印刷ページに割り付けされた印刷対象コンテンツについて各種編集を行う場合について説明する図である。レイアウト編集部１０６は、印刷ページに割り付けされた印刷対象コンテンツに対して、ユーザから入力部１０３を介して入力される操作に応じて、各種編集を行う。例えば、印刷対象コンテンツが表示された領域内の一部がタッチされた状態で、いずれかの方向、例えば左方向に移動させる指示が入力されると、レイアウト編集部１０６は、印刷ページにおける分割領域内において印刷対象コンテンツを左側に移動させる（符号８７０）。また、レイアウト編集部１０６は、印刷対象コンテンツが表示された領域内の一部について、２箇所タッチされた状態で、印刷対象コンテンツを中心として回転させるような操作入力がなされると、操作方向と操作量に応じて、その印刷対象コンテンツを回転させる（符号８７１）。また、レイアウト編集部１０６は、印刷ページにおける印刷対象コンテンツに対してピンチアウトさせる操作入力がなされると、その印刷対象コンテンツのサイズを変更する（符号８７２）。
このように、１つの印刷ページに割り付けられた印刷対象コンテンツに対し、個別に編集を行うことができる。これにより、ユーザに意向に応じて柔軟に割り付けをすることが可能となる。
【００７７】
図５１は、割り付けされた印刷対象コンテンツを差し替える場合について説明する図である。レイアウト編集部１０６は、割り付けテンプレートに印刷対象コンテンツが割り付けられた状態において、ユーザ端末２０、共有サーバ３０、ウェブサーバ４０等の記憶領域から新たな印刷対象コンテンツが読み出され、割り付けられたいずれかの印刷対象コンテンツに重なるようにドラッグされると、既に割り付けられていた印刷対象コンテンツとドラッグされた印刷対象コンテンツとを差し替える（符号８８０）。すなわち、既に割り付けられていた印刷対象コンテンツを印刷ページ上から削除し、ドラッグされた印刷対象コンテンツを印刷ページに割り付ける。
また、レイアウト編集部１０６は、印刷対象コンテンツを差し替える別の機能として、入れ替える対象の印刷対象コンテンツに対して入力部１０３を介してユーザによって長押しされた際に、他の印刷対象コンテンツを読み出すメニュー画面（符号８８１）を表示する。そしてレイアウト編集部１０６は、このメニュー画面から選択された印刷対象コンテンツをユーザ端末２０、共有サーバ３０、ウェブサーバ４０等の記憶領域から読み出し、既に割り付けられていた印刷対象コンテンツとドラッグされた印刷対象コンテンツとを差し替える（符号８８２）。
これにより、印刷対象コンテンツの割り付けがなされた後であっても、割り付けされた印刷イメージを確認しつつ、必要に応じて、印刷対象コンテンツを入れ替えることができる。
【００７８】
図５２は、割り付けテンプレートに従って印刷対象コンテンツを割り付ける場合について説明する図である。例えば、縦向きの印刷対象コンテンツと横向きの印刷対象コンテンツが混在した状態（符号８９０）で印刷を行う場合であっても、レイアウト編集部１０６は、割り付けテンプレートを利用することで、必要に応じて印刷対象コンテンツのサイズを変更し、各印刷ページの分割領域に印刷対象コンテンツをそれぞれ割り付ける（符号８９０）。
【００７９】
図５３は、撮像データを編集する場合について説明する図である。ユーザによって、撮像対象の書面が撮像台に載置された後（符号９００）、撮像ボタンがタッチされると、原稿撮像部１０７は、撮像範囲を対象として撮像して撮像データを生成する。撮像データが生成されると、撮像データ編集部１０８は、撮像データを元に、編集データを生成する。編集データは、撮像データに対する編集を行って印刷することが可能なデータであり、例えば、撮影データに対して文字を追加したり、撮影データの一部を削除したりすることが可能である。撮像データ編集部１０８は、撮像データから、文字や写真等の傾きをなくすように補正を行って編集データを生成する（符号９０１）。そして、生成された編集データの画像の一部にタッチされると、そのタッチされた位置を起点として文字入力欄（符号９０２）を表示するとともに、ソフトウェアキーボードを画面下部に表示する（符号９０３）。そして、撮像データ編集部１０８は、ソフトウェアキーボードからユーザによって入力される文字を、文字入力欄に入力し、入力が完了すると、文字入力がなされた編集データを生成する。そして、ユーザから印刷の指示が入力されると、印刷部１１２は、この編集データに基づいて印刷データを生成し、印刷を行う。
【００８０】
撮像対象の書面が、Ａ３サイズ以下である場合には、撮像データをＡ３サイズの画面を有する表示部１０２に表示することで、実物大でコンテンツを確認しつつ、表示することができる。
【００８１】
以上説明した画像形成装置によれば、ＰＣから操作入力をしなくても、画像形成装置上で直感的な操作を行い、印刷データをクリエイティブに作成し、印刷することができる。また、ＰＣが無くても、画像形成装置上でコンテンツ対する各種印刷の設定を行うことができるため、例えば、駅、空港、学校、ホテル等、公共空間にこの画像形成装置を設置することで、ユーザは、外出先等において、その画像形成装置のみで、必要なコンテンツを操作した上で、印刷することができる。
【００８２】
上述した画像形成装置は、例えば、少なくとも一つのプロセッサと、少なくとも一つのメモリ部と、メモリ部に記憶されており、少なくとも一つのプロセッサによって実行される少なくとも一つのモジュールと、少なくとも一つのファイルに基づく印刷イメージ画像を表示する表示部と、表示されたファイルから、印刷対象のページを選択する指示を入力する選択部と、印刷データに基づいて印刷をする印刷部と、を含み、モジュールは、少なくとも一つのファイルを外部に接続されるファイル記憶領域から取得して表示部に提供する取得モジュールと、選択部によって選択する指示が入力された印刷対象のページに基づいて印刷データを生成し印刷部に提供する印刷データ生成モジュールと、を含むように構成してもよい。
そして、画像形成装置において実現させる各種機能をモジュールとして画像形成装置の記憶部に記憶させ、プロセッサが記憶部から読み出して実行することで、上述の画像形成装置のそれぞれの機能を実現するようにしてもよい。
【００８３】
上述した実施形態における画像形成装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００８４】
以上、この発明の実施形態について図面を参照して詳述してきたが、具体的な構成はこの実施形態に限られるものではなく、この発明の要旨を逸脱しない範囲の設計等も含まれる。
【符号の説明】
【００８５】
１０  画像形成装置
２０  ユーザ端末
３０  共有サーバ
４０  ウェブサーバ
５０  ネットワーク
１０１  取得部
１０２  表示部
１０３  入力部
１０４  印刷データ生成部
１０５  ページ分割編集部
１０６  レイアウト編集部
１０７  原稿撮像部
１０８  撮像データ編集部
１０９  認証部
１１０  読み出し部
１１１  記憶部
１１２  制御部
１１３  印刷部
【図１】
2017039258.tif 000003
【図２】
2017039258.tif 000004
【図３】
2017039258.tif 000005
【図４】
2017039258.tif 000006
【図５】
2017039258.tif 000007
【図６】
2017039258.tif 000008
【図７】
2017039258.tif 000009
【図８】
2017039258.tif 000010
【図９】
2017039258.tif 000011
【図１０】
2017039258.tif 000012
【図１１】
2017039258.tif 000013
【図１２】
2017039258.tif 000014
【図１３】
2017039258.tif 000015
【図１４】
2017039258.tif 000016
【図１５】
2017039258.tif 000017
【図１６】
2017039258.tif 000018
【図１７】
2017039258.tif 000019
【図１８】
2017039258.tif 000020
【図１９】
2017039258.tif 000021
【図２０】
2017039258.tif 000022
【図２１】
2017039258.tif 000023
【図２２】
2017039258.tif 000024
【図２３】
2017039258.tif 000025
【図２４】
2017039258.tif 000026
【図２５】
2017039258.tif 000027
【図２６】
2017039258.tif 000028
【図２７】
2017039258.tif 000029
【図２８】
2017039258.tif 000030
【図２９】
2017039258.tif 000031
【図３０】
2017039258.tif 000032
【図３１】
2017039258.tif 000033
【図３２】
2017039258.tif 000034
【図３３】
2017039258.tif 000035
【図３４】
2017039258.tif 000036
【図３５】
2017039258.tif 000037
【図３６】
2017039258.tif 000038
【図３７】
2017039258.tif 000039
【図３８】
2017039258.tif 000040
【図３９】
2017039258.tif 000041
【図４０】
2017039258.tif 000042
【図４１】
2017039258.tif 000043
【図４２】
2017039258.tif 000044
【図４３】
2017039258.tif 000045
【図４４】
2017039258.tif 000046
【図４５】
2017039258.tif 000047
【図４６】
2017039258.tif 000048
【図４７】
2017039258.tif 000049
【図４８】
2017039258.tif 000050
【図４９】
2017039258.tif 000051
【図５０】
2017039258.tif 000052
【図５１】
2017039258.tif 000053
【図５２】
2017039258.tif 000054
【図５３】
2017039258.tif 000055